(57)【要約】      （修正有）【課題】薬剤効果を効率よく使用者の頭部に及ぼすマスク用ノーズパッドを提供する。【解決手段】マスク用ノーズパッド５０は、着用者の鼻梁及びその両側の頬上部に当てられるフォーム材５１と、フォーム材５１に吸収された薬剤と、鼻梁及び頬上部に当たるフォーム材５１の面５１ｂの反対側の面５１ａに設けられ、着用者の鼻及び口を覆うマスク本体の内面に対して着脱可能な付着部材５５と、を備える。【選択図】図２
0003231701.tif 000002
【実用新案登録請求の範囲】
【請求項１】
着用者の鼻梁及びその両側の頬上部に当てられるフォーム材と、
前記フォーム材に吸収された薬剤と、
前記鼻梁及び前記頬上部に当たる前記フォーム材の面の反対側の面に設けられ、前記着用者の鼻及び口を覆うマスク本体の内面に対して着脱可能な付着部材と、
を備えるマスク用ノーズパッド。
【請求項２】
前記付着部材は、複数のフックを有する面ファスナーである
請求項１に記載のマスク用ノーズパッド。
【請求項３】
請求項１又は２に記載のマスク用ノーズパッドと、
前記マスク用ノーズパッドを包み込んだ密閉包装袋と、
を備える包装品。
【考案の詳細な説明】
【技術分野】
【０００１】
本考案は、マスク用ノーズパッド及び包装品に関する。
【背景技術】
【０００２】
マスクは、着用者の口及び鼻とそれらの周囲を覆うように用いられる。マスクの着用者は周囲の空気中の微粒子等を吸い込まずに済み、また着用者の飛沫の飛散も防止できる。
【０００３】
特許文献１には、眼鏡の曇りを防止するためのノーズパッド付きのマスクが開示されている。ノーズパッドはスポンジ製であって、マスク本体の内面上部に固定されている。使用者がマスクを装着すると、ノーズパッドが鼻梁及びその両側の形状に合わせて変形し、鼻梁及びその両側とマスク本体の上部との間に隙間がノーズパッドによって塞がる。よって、呼気がマスク本体と鼻梁の間から上に漏れにくく、眼鏡の曇りを防止できる。
【０００４】
特許文献２には、マスクの密閉性能の向上のためのクッション付きのマスクが開示されている。クッションはポーチに水等の流体を充填して密封したものであり、マスク本体の内面上部に設けられている。このクッションが使用者の鼻梁及びその両側部とマスク本体の上部との間に隙間を塞ぐため、マスクの密閉性能が高まる。
【先行技術文献】
【特許文献】
【０００５】
【特許文献１】実登第３２２６９６３号公報
【特許文献２】特表２０１６−５２６６１３号公報
【考案の概要】
【考案が解決しようとする課題】
【０００６】
ところで、人間の頭部、特に顔面には、粘膜及び嗅覚器官等の器官が集中していることから、香り成分又は除菌成分といった薬剤成分の発生源を人間の頭部の近くに配置して、薬剤効果を効率よく使用者の頭部に及ぼすことが要望される。
【０００７】
そこで、本考案は上記事情に鑑みてなされたものであって、薬剤効果を効率よく使用者の頭部に及ぼすことを目的とする。
【課題を解決するための手段】
【０００８】
以上の課題を解決するためのマスク用ノーズパッドは、着用者の鼻梁及びその両側の頬上部に当てられるフォーム材と、前記フォーム材に吸収された薬剤と、前記鼻梁及び前記頬上部に当たる前記フォーム材の面の反対側の面に設けられ、前記着用者の鼻及び口を覆うマスク本体の内面に対して着脱可能な付着部材と、を備える。
【０００９】
以上の課題を解決するための包装品は、前記マスク用ノーズパッドと、前記マスク用ノーズパッドを包み込んだ密閉包装袋と、を備える。
【００１０】
以上によれば、付着部材によってフォーム材をマスク本体の内面に取り付けることができる。着用者がマスク本体を着用すると、フォーム材が着用者の鼻梁及びその両側の頬上部とマスク本体との間に配置される。従って、フォーム材が着用者の頭部のすぐ近くに配置される。それゆえ、フォーム材から放散した薬剤が着用者の頭部の周辺に漂う。よって、薬剤効果が着用者の頭部に及ぶ。
【００１１】
好ましくは、前記付着部材は、複数のフックを有する面ファスナーである。
【００１２】
以上によれば、付着部材のフックがマスク本体の繊維に機械的に引っ掛かる。そのため、フォーム材に吸収された薬剤によって付着部材の付着力の低下が起こらない。
【考案の効果】
【００１３】
本考案の実施形態によれば、マスク本体を着用した着用者の頭部周辺に薬剤成分が漂い、薬剤効果が効率よく着用者の頭部に及ぶ。
【図面の簡単な説明】
【００１４】
【図１】マスク用ノーズパッド及びマスクの使用態様の斜視図である。
【図２】マスク用ノーズパッドの斜視図である。
【図３】マスク用ノーズパッドの斜視図である。
【図４】包装品の斜視図である。
【考案を実施するための形態】
【００１５】
以下、図面を参照して、本考案の実施形態について説明する。但し、以下に述べる実施形態には、本考案を実施するために技術的に好ましい種々の限定が付されているが、本考案の範囲を以下の実施形態及び図示例に限定するものではない。
【００１６】
［ノーズパッド及びマスクの使用形態の概要］
図１は、マスク用のノーズパッド５０及びマスクの使用態様を示す斜視図である。着用者がノーズパッド５０の着いたマスクを装着すると、ノーズパッド５０が着用者の鼻梁及びその両側の頬上部（目の下あたり）に当たって、鼻梁及び頬上部とマスクとの間に挟まれる。そうすると、ノーズパッド５０に含まれた薬剤の効果がノーズパッド５０の周囲の雰囲気に及ぶ。以下、マスク及びノーズパッド５０について詳細に説明する。
【００１７】
［マスク］
マスクは使い捨てである。このマスクは、マスク本体１０及び２本の掛け紐２０を有する。なお、図１中、片方の掛け紐２０が図示されているが、もう片方の掛け紐２０はマスク本体１０及び着用者の頭部によって隠れているため、図示されていない。
【００１８】
マスク本体１０は１つの不織布層で構成されるか、又は積み重ねられた複数の不織布層で構成される。マスク本体１０は横方向に延びた折れ線によりプリーツ折りされている。プリーツ折りが展開される前のマスク本体１０の形状は平面的な矩形状を成している。プリーツ折りが縦方向に展開されると、マスク本体１０の内面が凹状になり、マスク本体１０の外面が凸状となる。ここで、マスク本体１０の内面とは着用者の顔面に向く面であり、マスク本体１０の外面はその内面の反対面である。また、横方向とは、マスク本体１０の一方の側部１１から他方の側部１１に向かう方向であり、縦方向とは、マスク本体１０の上部から下部に向かう方向である。プリーツ折りの展開前のマスク本体１０の両側部１１の縁はマスク本体１０の上下の縁よりも長い。
なお、マスク本体１０は織布で構成されてもよい。
【００１９】
掛け紐２０の両端部がマスク本体１０の側部１１の上下にそれぞれ固定されている。
【００２０】
［ノーズパッド］
図２はノーズパッド５０の正面の上側から示した斜視図であり、図３はノーズパッド５０の背面の上側から示した斜視図である。
ノーズパッド５０はフォーム材５１、付着部材５５及び薬剤（図示略）を備える。
フォーム材５１はゴム又は樹脂の発泡体からなり、例えばエチレン・プロピレン・ジエンゴム（ＥＰＤＭ）発泡体又はポリウレタン樹脂発泡体からなる。なお、ゴム又は樹脂の発泡体のことをスポンジともいう。
フォーム材５１は、横方向のサイズが縦方向及び前後方向のサイズよりも長く設けられている。ここで、前後方向とは、横方向及び縦方向の両方に対して垂直な方向をいう。フォーム材５１の後面５１ｂが凹凸な面であり、フォーム材５１の前面５１ａが平滑な面であり、フォーム材５１の上面及び下面は平坦な面である。フォーム材５１の後面５１ｂの中央部には、凹状に湾曲した谷状部５１ｃが形成され、谷状部５１ｃの横方向両側の部分には、凸状に湾曲した山状部５１ｄが形成されている。
【００２１】
フォーム材５１には、薬剤が吸収されている。例えば、薬剤は、マイナスイオン発生剤（例えば、トルマリン鉱石の微粒子）、保湿剤、安定化二酸化塩素、次亜塩素酸、低濃度オゾン、デキサメタゾン、カモスタット、ナファモスタット又は香料が溶媒（例えば水）に溶解又は分散した薬液である。また、薬剤は、液状の精油又は香料であってもよい。薬剤の形態は液体に限らず、ジェル状であってもよい。
【００２２】
フォーム材５１に吸収された薬剤の量は、フォーム材５１が軽く圧縮されてもフォーム材５１から薬剤が滲み出てこない程度である。
【００２３】
フォーム材５１の前面５１ａには、マスク本体１０の内面に対して着脱可能な付着部材５５が接合されている。付着部材５５は、帯状の基材５５ａと、基材の一方の面に林立された複数のフック５５ｂとを有する面ファスナーである。フック５５ｂがマスク本体１０の内面の繊維に引っ掛かることによって、付着部材５５がマスク本体１０の内面に付着する。
【００２４】
［ノーズパッドの包装態様］
図４は、ノーズパッド５０が包装された包装品の斜視図である。この包装品は、ノーズパッド５０と、ノーズパッド５０を包み込んだ密閉包装袋８０と、を備える。
密閉包装袋８０は、開口を有する袋本体８１と、袋本体８１の開口の縁の一部から連なって続きその縁において折り曲げられて袋本体８１の外面にシール材により接着されたフラップ８２と、を有する。袋本体８１の開口がフラップ８２によって封止されて、袋本体８１が密閉される。
袋本体８１には、ノーズパッド５０が収容されている。
【００２５】
［ノーズパッドの使用方法］
密閉包装袋８０を開封して、密閉包装袋８０からノーズパッド５０を取り出す。
フォーム材５１の長手方向がマスク本体１０の横方向になるようにしてフォーム材５１をマスク本体１０の上の縁に沿わせて、付着部材５５をマスク本体１０の内面の上部に付着させる。この際、フォーム材５１の長手方向における中央部をマスク本体１０の横方向における中央部に揃える。
マスク本体１０の内面を着用者の鼻及び口に向けて、マスク本体１０によって鼻及び口を覆って、掛け紐２０を耳に掛け、これによりマスクを装着する。この際、フォーム材５１の谷状部５１ｃを鼻梁に当てるとともに、山状部５１ｄを鼻梁の両側の頬上部（目の下当たり）に当てる。そうすると、ノーズパッド５０が鼻梁及びその両側の頬上部とマスク本体１０との間に挟まれ、鼻梁がその両側から山状部５１ｄによって挟まれる。そのため、顔面とマスク本体１０との間の隙間がノーズパッド５０によって埋められる。
必要に応じて、マスク本体１０の外側から付着部材５５及びフォーム材５１を顔面に軽く押し付けて、フォーム材５１を鼻梁及びその両側の形状に合わせて整形する。
【００２６】
［有利な効果］
（１）  着用者がノーズパッド５０の取り付けられたマスクを着用すると、フォーム材５１が着用者の頭部のすぐ近くに配置される。それゆえ、フォーム材５１から放散した薬剤が着用者の頭部の周辺に漂う。よって、薬剤効果、例えばマイナスイオン効果、皮膚保湿効果、空間除菌効果、消臭効果、芳香効果、アロマテラピー効果、鼻腔や口腔等の医薬効果が効率よく着用者の頭部に及ぶ。
【００２７】
（２）  ノーズパッド５０がマスク本体１０に対して着脱可能であるから、マスクを新たなマスクに交換した時もノーズパッド５０を再利用することができる。また、ノーズパッド５０を様々なマスクに使用することができる。
【００２８】
（３）  付着部材５５が面ファスナーであり、付着部材５５のフック５５ｂがマスク本体１０の繊維に機械的に引っ掛かっている。そのため、フォーム材５１に吸収された薬剤によって付着部材５５の付着力の低下が起こらない。
【００２９】
（４）  付着部材５５から薬剤が滲み出ても、その薬剤が付着部材５５、特に基材５５ａによって遮蔽される。よって、薬剤がマスク本体１０に吸収されにくい。
【００３０】
（５）  フォーム材５１は、掛け紐２０の引張力によって圧縮変形する。そのため、フォーム材５１が鼻梁及びその両側の形状に合わせてフィットする。よって、フォーム材５１と顔面との間に隙間が形成されにくい。
【００３１】
（６）  フォーム材５１の後面５１ｂの中央部に形成された谷状部５１ｃが鼻梁にフィットし、谷状部５１ｃの両側の部分に形成された山状部５１ｄが鼻梁の側部にフィットする。よって、フォーム材５１と顔面との間に隙間が形成されにくい。特に、頬上部とフォーム材５１との間に隙間が形成されにくい。
【００３２】
（７）  着用者の呼気に含まれる飛沫がフォーム材５１によって捕捉されるため、飛沫の飛散を防止できる。呼気に含まれる水蒸気がフォーム材５１によって捕捉されるため、着用者が着用した眼鏡の曇りも防止できる。フォーム材５１に捕捉された飛沫や水滴は、フォーム材５１に吸収された薬剤効果、例えば除菌効果を受ける。
【００３３】
（８）  外気中のパーティクル及びウィルスがフォーム材５１によって捕捉されるため、着用者がパーティクル及びウィルスの吸い込みを防止できる。
【００３４】
（９）  ノーズパッド５０が密閉包装袋８０に包み込まれているため、薬剤の揮発を防止できる。
【００３５】
［変形例］
付着部材５５には、面ファスナーの代わりに粘着テープが採用されてもよい。この場合、粘着テープの粘着により、付着部材５５がマスク本体１０の内面に付着する。
【符号の説明】
【００３６】
１０…マスク本体
５０…ノーズパッド
５１…フォーム材
５５…付着部材
５５ａ…基材
５５ｂ…フック
８０…密閉包装袋
【図１】
0003231701.tif 000003
【図２】
0003231701.tif 000004
【図３】
0003231701.tif 000005
【図４】
0003231701.tif 000006